(57)【要約】【課題】有機ＥＬ素子を用いた表示装置において有機化合物層よりも屈折率の高い透明層を伝播する伝播光を効率的に外部に取り出しながらも、表示装置にとって問題となる表示像のにじみを低減する。【解決手段】有機ＥＬ素子の光出射側に、前記有機化合物層１０，１１よりも屈折率の高い高屈折率透明層１３を設け、さらに、該高屈折率透明層１３上に光取り出し構造物６を各副画素１，２の外周部全てを取り囲んで設け、互いに隣り合う画素間には可視光吸収部材５を配置する。【選択図】図２
2013073800.tif 000002
【特許請求の範囲】
【請求項１】
異なる色を発光する複数の副画素を有する画素を複数備え、
前記副画素がそれぞれ、第１電極と、第２電極と、前記第１電極と第２電極との間に配置された発光層を含む有機化合物層とを有する有機ＥＬ素子を備えた表示装置であって、
前記有機ＥＬ素子の光出射側に、前記有機化合物層よりも屈折率の高い高屈折率透明層を有し、
前記高屈折率透明層の上に設けられた光取り出し構造物が各副画素の外周部全てを取り囲んで設けられ、隣り合う画素間の領域には可視光吸収部材が設けられていることを特徴とする表示装置。
【請求項２】
前記可視光吸収部材が、画素内の隣り合う副画素間の領域には配置されていない請求項１に記載の表示装置。
【請求項３】
光取り出し構造物の断面形状が錐状、多角形、或いはこれらの足し合わせのいずれかからなる請求項１又は２に記載の表示装置。
【発明の詳細な説明】
【技術分野】
【０００１】
本発明は、有機ＥＬ素子を備えた表示装置に関するものであり、特に、１画素が異なる色を発光する複数の副画素からなる、フルカラー表示の表示装置に関するものである。
【背景技術】
【０００２】
近年、数ボルト程度の低駆動電圧で自己発光する有機発光素子が注目を集めている。有機ＥＬ（エレクトロルミネッセンス）素子は、面発光特性、軽量、視認性といった優れた特徴を活かし薄型ディスプレイや照明器具、ヘッドマウントディスプレー、また電子写真方式プリンタのプリントヘッド用光源など発光装置としての実用化が進みつつある。
【０００３】
有機ＥＬ素子は、有機材料からなる発光層やその他の機能分離された複数の有機材料からなる層を陽極及び陰極で挟んだ構造を有しており、少なくとも一方の光出射側の電極は透明である。この積層構造ゆえに、発光層の屈折率や光出射側の媒質、最終的な光の放出が行われる空気の屈折率で決定される各界面における臨界角以上の方向に進行する光は、全反射を受けて素子内部に伝播光として閉じ込められる。伝播光は素子内部の有機化合物層や金属電極により吸収され、外部に取り出されなくなり、光取り出し効率が低下する。
【０００４】
光取り出し効率改善を目的として、伝播光を外部に取り出すために、光出射側の表面に微細凹凸構造或いはレンズ構造など、光の進行方向を変化させ全反射条件を破る方法が多く提案されている。特に、改善効果が高い方法として、透明電極の光出射側に接して屈折率が発光層と同等以上の透明層を設け、更に、この透明層の光出射側もしくは内部に光の反射・散乱角に乱れを生じさせる領域を設ける方法が提示されている（特許文献１）。
【０００５】
この方法は、古典的なスネルの法則によれば発光層で発光した光の約８０％を占める発光層内の伝播光を、発光層よりも高屈折率である高屈折率透明層に引き込むことで、透明層内の伝播光に変換する。その伝播光を透明層の表面もしくは内部の光の反射・散乱角に乱れを生じさせる領域によって外部に取り出せるようにしている。
【０００６】
しかしながら、こうした高屈折率透明層内に光を伝播させる方法にはディスプレイなど表示装置に適用する場合に特有の課題が生じる。高屈折率透明層に導かれ光の反射・散乱角に乱れを生じさせる領域によって最終的に空気に出射する光は本来であれば全反射されていた臨界角以上の角度で進行する光を含む。従って、高屈折率透明層の厚さに起因した視差により実際の発光点とは異なる位置からの発光と認識されるため表示像のにじみの問題が発生する。これに対しては、高屈折率透明層ではないものの、光が伝播する基板の厚みを画素サイズの一定割合以下に抑える方法が提案されている（特許文献２）。
【０００７】
更に、高屈折率透明層に導かれた光が反射・散乱角に乱れを生じさせる領域に入射した際に、必ずしも一回の入射で空気側に取り出されるわけではない。反射・散乱角に乱れを生じさせる領域によって進行方向を変えた光であっても、高屈折率透明層と空気界面の臨界角以上の角度に進む光は再度、全反射を受けて高屈折率透明層内を伝播する。この結果、光は高屈折率透明層内を横方向に伝播し、いずれ全反射条件が破れた発光点とは離れた位置で空気側に出射することになるため、やはり、表示像のにじみの問題が発生する。特に透明層の屈折率が高いほど、高角度成分の光が多いため反射・散乱角に乱れを生じさせる領域に入射する回数が減少、空気側に取り出されるまでの横方向の導波距離が長くなり、問題が顕著になる。
【先行技術文献】
【特許文献】
【０００８】
【特許文献１】特開２００４−２９６４２９号公報
【特許文献２】特開２００５−３２２４９０号公報
【発明の概要】
【発明が解決しようとする課題】
【０００９】
本発明は、有機ＥＬ素子を用いた表示装置において有機化合物層よりも高い屈折率の透明層を伝播する伝播光を効率的に外部に取り出し、表示像のにじみを低減することを課題とする。
【課題を解決するための手段】
【００１０】
即ち、本発明は、異なる色を発光する複数の副画素を有する画素を複数備え、
前記副画素がそれぞれ、第１電極と、第２電極と、前記第１電極と第２電極との間に配置された発光層を含む有機化合物層とを有する有機ＥＬ素子を備えた表示装置であって、
前記有機ＥＬ素子の光出射側に、前記有機化合物層よりも屈折率の高い高屈折率透明層を有し、
前記高屈折率透明層の上に設けられた光取り出し構造物が各副画素の外周部全てを取り囲んで設けられ、隣り合う画素間の領域には可視光吸収部材が設けられていることを特徴とする。
【発明の効果】
【００１１】
本発明によれば、光取り出し効率を向上させつつ表示像のにじみが低減された表示装置を提供することができる。
【図面の簡単な説明】
【００１２】
【図１】本発明の表示装置の一実施形態の構成を模式的に示す上面図である。
【図２】図１の表示装置の構成を模式的に示す断面図である。
【図３】本発明の表示装置の有機ＥＬ素子の一例の構成を模式的に示す断面図である。
【図４】本発明の表示装置の一実施形態の画素構成を模式的に示す上面図である。
【図５】本発明の表示装置の他の実施形態の構成を模式的に示す上面図である。
【図６】本発明の表示装置の他の実施形態の構成を模式的に示す上面図である。
【図７】本発明の表示装置の他の実施形態の構成を模式的に示す上面図である。
【発明を実施するための形態】
【００１３】
本発明の表示装置は、互いに異なる色を発光する複数の副画素を有する画素を複数備え、各副画素がそれぞれ有機ＥＬ素子を備えている。有機ＥＬ素子は、第１電極上に発光領域を備えた発光層を含むいくつかの有機化合物層と第２電極とを有している。そして有機ＥＬ素子は、該第１電極と第２電極間に電圧を印加して有機化合物層に注入された正孔と電子が再結合する際に生じるエネルギーを利用して発光する素子である。第１電極と第２電極の一方は反射電極であり、他方は透明電極である。また、第１電極と第２電極の一方は陽極、他方は陰極である。本発明の表示装置は、第１電極として反射電極を支持基板上に形成し、透明電極側から発光を取り出す。また、本発明の表示装置は、有機ＥＬ素子内で発光した光を効果的に外部に取り出すために、透明電極に隣接して有機化合物層よりも高い屈折率を有する高屈折率透明層が設けられている。更に、高屈折率透明層に隣接して光を取り出すための光取り出し構造物が配置されている。係る構成により、発光層からの光は全反射せずに光取り出し構造物まで達し、効果的に外へ取り出されることになる。
【００１４】
本発明においては表示上のにじみという問題を低減するために、隣り合う画素間領域に可視光吸収部材を配置する。それによって、画素間領域で混色することによる表示像のにじみを抑制することが本発明の特徴である。
【００１５】
以下、本発明の実施の形態について説明する。図１は、本発明の表示装置の一実施形態の平面レイアウトを示す上面図である。青、緑、赤の光の三原色をそれぞれ発光する副画素１，２，３により一つの画素４が形成されている。
【００１６】
本発明の表示装置では、図１に示すように、画素４に含まれる副画素１，２，３のそれぞれの外周部全てを取り囲んで光取り出し構造物６を設け、隣り合う画素間の領域２１には可視光吸収部材が配置されている。本発明の表示装置の画素４は、複数の副画素１，２，３と光取り出し構造物６を備え、表示の最小単位を構成するものである。尚、副画素１，２，３にそれぞれに設けた光取り出し構造物６の領域までを含めて画素４とする。本発明では光取り出し構造物６は副画素１，２，３の外周部を囲うように配置していればよく、また画素上に重なる領域があってもよい。
【００１７】
本発明の表示装置では副画素１，２，３の発光領域は後述する支持基板８側に形成された、パターニングされた反射電極９の開口面積で決まる。その場合、図１のＡ−Ａ’で示される部位の断面構造は図２に模式的に示すようになる。
【００１８】
また、図２の構成では、画素間のクロストーク、ショート、電極配線の断線などの回避、又は電極間を絶縁して発光領域を限定するために、副画素間に隔壁７を設けているが、係る隔壁７はなくても構わない。図２の場合、隔壁７に設けられた開口部が図１の副画素１，２，３に対応する。
【００１９】
副画素１，２，３は、それぞれの発光色を発光する有機ＥＬ素子からなる。図２においては、支持基板８上にそれぞれ第１電極として反射電極９を有し、該反射電極９上に有機化合物層１０，１１を備え、さらに光出射側に第２電極として透明電極１２を備えている。有機化合物層１０，１１はそれぞれ、副画素１，２，３の発光色に応じた発光を行う発光層を備えている。透明電極１２は表示領域全体にわたって連続して形成されており、その光出射側（支持基板８とは反対側）に、有機化合物層１０，１１よりも屈折率の高い高屈折率透明層１３を有している。そしてさらに、各副画素１，２，３の外周部に光取り出し構造物６が設けられている。また、隣り合う副画素間の領域には可視光吸収部材５が形成されている。
【００２０】
副画素１に用いられる有機ＥＬ素子の構成を、図３に断面模式図で示す。尚、副画素２，３に用いられる有機ＥＬ素子の断面構造も図３と同様である。支持基板８上に設けられた第１電極として反射電極９及び透明電極１４と、第２電極としての透明電極１２との間に、発光層を含むいくつかの有機化合物層１０があり、発光効率、駆動寿命、光学干渉などの観点から様々な積層構成があることはよく知られている。尚、図２では第１電極として反射電極９のみを示したが、図３の構成では第１電極を反射電極９と透明電極１４とで構成しており、本発明では反射性を有する電極構成であればいずれの構成でも構わない。
【００２１】
図３の例では、図２の有機化合物層１０として、正孔注入層１５、正孔輸送層１６、発光層１７、電子輸送層１８、電子注入層１９を設けた構成を示す。本発明は、各層に含まれる材料には限定されない。例えば、発光層１７を構成する材料は、蛍光材料、燐光材料のいずれでもよく、ホスト材料、発光材料の他に、少なくとも一種類以上の化合物が素子性能向上のために含まれていてもよい。また、正孔輸送層１６は電子ブロック層として機能してもよく、電子輸送層１８は正孔ブロック層として機能してもよい。
【００２２】
有機化合物層１０のうち、発光層１７の発光位置と反射電極９の反射面との間の膜厚を調節することで、発光層１７内部の放射分布を制御することができる。表示装置としては特に正面方向の輝度が高くなるように各有機化合物層の膜厚を設定することで、光学干渉により発光色も制御され、より高効率に正面方向に光が放出されるようになる。より具体的には、発光層１７の発光位置から透明電極１４と反射電極９の界面までの光学距離を発光波長のｎ／４（ｎ＝１、３、５、・・・）に調整することで、発光層１７から光取り出し方向に向けた正面輝度をより高めることができる。
【００２３】
光取り出し効率を高めるためには反射電極９の反射率はより高い方が好ましい。例えば、反射電極９の材料としては、アルミニウム（Ａｌ）電極よりも銀（Ａｇ）電極の方が好ましい。更に反射率を高める手段として誘電多層膜ミラーのように屈折率の異なる層を積層する手法を用いてもよい。
【００２４】
図３の例では第２電極に透明電極１２を用いることで素子内に発光が閉じ込められなくなる。そして、この透明電極１２の光出射側に高屈折率透明層１３を設けることで、画素上に直接放出できない角度の高角度放射光成分の光が、光取り出し構造物６へ進入して内部反射の末に主に正面方向へ取り出されてくる。即ち、高角度側の光を高屈折率透明層１３と空気或いは別の媒体などとの間で起こる全反射を介して、効果的に外部に取り出すことができる。
【００２５】
また第２電極の透明電極１２に代わって半透明電極を用いてもよい。その場合は第２電極の反射率が上昇し、光学共振器としての特性が発現してくる。しかしながら発光層１７からの高角度放射光成分の発生は、程度は少なくても発生している。ゆえに、透明電極に比べて光取り出し効率の増加は小さいが効果はあるといえる。第２電極が透明かどうかそのものに特に限定されるものではない。
【００２６】
高屈折率透明層１３は水蒸気や酸素などのガスの侵入に対するバリア層として用いてもよい。バリア層として機能するには用いる材料にもよるが、数μｍ程度の膜厚であればよいが、０．５μｍ以上６．０μｍ以下の範囲である。好ましい膜厚は光取り出し構造物６のサイズにもよるため、本発明では規定する必要はない。高屈折率透明層１３の膜厚が６．０μｍより大きいと該高屈折率透明層１３中を長距離伝播し易くなり、隣の画素４上の光取り出し構造物６から光が取り出されやすくなるので好ましくない。高屈折率透明層１３の膜厚は、光取り出し効率の向上という点では、より好ましくは０．５μｍ以上１．０μｍ以下である。
【００２７】
有機化合物層１０，１１，及び赤色発光層を含む有機化合物層の屈折率は材料によっても変化するが、概ね青の発光領域で１．６乃至２．０、緑では１．５乃至１．９、赤では１．５乃至１．８程度である。従って高屈折率透明層１３は、青、緑、赤の各発光領域それぞれで少なくとも有機ＥＬ素子に用いる有機化合物層１０，１１，及び赤色発光層を含む有機化合物層よりも高い屈折率であればよい。
【００２８】
また、高屈折率透明層１３としては、酸化チタンや酸化ジルコニウム、酸化亜鉛などが挙げられる。しかしながらこれらの材料を加工するとなると困難である。本発明において高屈折率透明層１３は窒化ケイ素膜（ＳｉＮx）などが好ましい。窒化ケイ素膜（ＳｉＮx）の元素組成及び元素組成比は特に限定されるものではなく、窒素、ケイ素を主成分としてその他の元素が混合されていてもよい。窒化ケイ素膜を得る成膜プロセスとしてはＣＶＤ（Ｃｈｅｍｉｃａｌ  Ｖａｐｏｒ  Ｄｅｐｏｓｉｔｉｏｎ）法が用いられる。窒化ケイ素膜は成膜条件、例えば基板温度や成膜速度などによっても、光学定数は変化するが、本発明においては有機化合物層１０，１１，及び赤色発光層を含む有機化合物層よりも高い屈折率を有する透明層であればよい。高屈折率透明層１３の光透過率は、可視光域で８５％以上が好ましく、より好ましくは９０％以上である。
【００２９】
本発明に係る光取り出し構造物６は高屈折率透明層１３を直接加工して形成され、高屈折率透明層１３と光取り出し構造物６の間には屈折率の差を無くすことが好ましい。
【００３０】
光取り出し構造物６は少なくとも光取り出し方向に対して凸な形状であって、その断面形状は錐状或いは多角形であり、それらの足し合わせからなるものであってもよい。このような構造物があると画素上に取り出されないような高角度放射成分の光が進入してきた際に、内部反射を利用した光変角によって、さまざまに任意角度の光を強めることができる。同時に光取り出し効率も向上する。
【００３１】
特に頂角１２０°乃至１３５°の二等辺三角形の断面形状のものであれば正面輝度の光取り出し効率を効果的に高めることができる。本発明ではさらに二つの底角が２５°前後のものが正面輝度をより高められるため、ディスプレイ用途として好ましい。このようにして、有機ＥＬ素子の光取り出し効率は通常２０％程度と言われるものが飛躍的に向上する。また、副画素１，２，３が円形の場合の各外周部を囲うようにリング状の光取り出し構造物６（円錐形状が一つなぎになったもの）が配置された構成であることが望ましい。
【００３２】
該光取り出し構造物６の製造方法については、特に限定するものではないが、例えばフォトリソグラフィによってＳｉＮxなどの膜上にレジストパターンを形成後、ドライエッチを行って所望の構造に形成してもよい。ナノインプリントによって所望のモールドのパターンをＳｉＮ上に転写した後、ドライエッチによってＳｉＮxを加工してもよい。
【００３３】
図４のように副画素間領域２０上に光取り出し構造物６が設けられていると、該副画素間領域２０に、該副画素間領域２０に隣り合う副画素の発光が侵入し取り出されることになる。しかしながら、画素４内の光取り出し構造物６によって起こる混色、例えば、青、緑、赤の間での混色は階調制御された色同士の加法混色なので、所望の色度を得るための制御に対して影響は与えない。むしろ隣り合う副画素へ伝播した光を取り出すことができるため、取り出し効率が向上するという利点がある。
【００３４】
一方、画素間領域２１上に設けられた光取り出し構造物７からは、それぞれ別の階調制御された副画素の発光が混ざり合うことになる。例えば互いに異なる画素４に含まれ、画素間領域２１を挟んで隣り合う赤色副画素３と青色副画素１の混色は、それぞれの副画素の階調制御が取り出したい発光色に合わせたものにならないため、全く意図しない加法混色された光として取り出される。
【００３５】
ここでＭａｃＡｄａｍの偏差楕円を例にとって考える。緑は赤や青よりも色度ずれに対して鈍感であり、青は色度ずれに対しては非常に敏感である。よって、図４の構成において発光色が青色の青色副画素１を例にとって表示像のにじみについて説明する。青色副画素２２への他色の異なる階調制御された副画素からの光の侵入は青の色度ずれにつながる。この時、青色副画素２２の色は所望の色度で発光しているが、隣り合う画素間領域２１上から取り出される発光色は隣の赤色副画素２３の色が混ざった色度のずれた発光である。ゆえに、青色副画素２２上は所定の青に近いが画素間領域６上に所定の青色とは違う色が認識される。青色副画素２２は赤色が混ざった発光色で認識されることになり、色がにじむことになる。また、画素間領域２１では、画像を表示するための画素単位の所定の階調制御に対する色度のずれが起こるため表示された画像のエッジ部のにじみにつながる。
【００３６】
通常の表示装置の画素の開口レイアウトは等ピッチに配されることが主流であり、通常大きくても開口率５０％程度なので画素間領域２１の占める面積は大きい。従ってここで起こる例えば青色領域の意図しない混色は色度の違う領域を形成し、表示像のにじみの原因となる。よって、本発明においては、にじみ防止のために、図４に示す画素間領域２１に、図１に示すように可視光吸収部材５を配置することを特徴とする。図４に対してより好ましい形態としては、図５が挙げられる。図５は画素４内の副画素間領域２０には可視光吸収部材５を設けずに、画素間領域２１にのみ設けられたことで、混色して取り出してもよい画素４内の副画素間領域２０からの光での光のロスを減少させることができる。
【００３７】
これに対して図６のように副画素が画素単位で光取り出し構造物６を介して接し、画素間領域２１にのみ配置した可視光吸収部材がより幅広に連続的につながって、画素４同士を隔てることが好ましい。具体的には、図１のように網目状（グリッド状）につながった画素間領域２１を覆って、同様に網目状（グリッド状）につながった可視光吸収部材を形成することが好ましい。尚、前記したように、画素４内においては、隣り合う副画素間での混色は望ましいため、図５の場合同様に可視光吸収部材５は形成しなくてもよい。
【００３８】
副画素１，２，３の開口形状は円形に限定されるものではなく図７のように長方形であってもよい。例えば長方形の副画素１，２，３に対して外周を取り囲むように、光取り出し構造物６を設けた場合、副画素は互いに備えた光取り出し構造物６で接しており、画素４を形成する。その画素４と隣の画素４の間の画素間領域２１に可視光吸収部材５が形成される。
【００３９】
画素間領域２１の幅、つまり、隣り合う画素４同士の距離については、光の伝播距離を考慮する必要がある。光の伝播距離は、発光点と発光点での光の強度が半分になる点との間の距離とする。光の伝播距離は高屈折率透明層１３の膜厚や吸収率、発光色などに関係する。本発明では、上記の理由より可視光吸収部材５によってにじみ解消する効果は発光色によって規定されるものではない。しかしながら、可視光吸収部材５を配置した画素間領域２１の幅は、少なくとも光取り出し構造物６を隔てるものであれば良い。より好ましくは光取り出し構造物６の幅よりも、可視光吸収部材５を配置した画素間領域２１の幅は大きいことが好ましい。また図４においては可視光吸収部材５を配置した画素間領域２１の幅は光取り出し構造物６よりも幅が大きく、画素内の光取り出し構造物６の淵は隣接する副画素同志で互いに接することが好ましい。
【００４０】
可視光吸収部材５としては、感光性ブラックレジストを用いることが好ましい。また、所望の光照射や、加熱、雰囲気変化などを行うことで光を吸収する波長領域を変化させ所望の色の光を吸収させてもよい。例えば、光照射によって光重合させて透明だった部分を褐色や黒色に変化させてもよい。また、カラーフィルタ等に使われるような材料を単独で或いは組み合わせて用いて、画素間領域２１に可視光吸収部材５として設けてもよい。設ける方法としてはフォトリソを用いたパターニングやインクジェット方式、ノズルジェット方式などの塗布パターニングなどが好ましい。但し、光取り出しを阻害しないために可視光吸収部材５は光取り出し構造物６に重ならない配置で設けられることが好ましい。
【００４１】
可視光吸収部材５を形成する工程は、光取り出し構造物６を設ける工程よりも前でもよいし後でもよい。前者の場合は、例えば図２の支持基板８の、副画素間の隔壁７上に黒色レジストをパターニングした領域を設けてもよく、或いは画素間領域２１に対応する部分を黒色の隔壁として形成し、且つ、画素４内の副画素間の隔壁は透明なものを用いればよい。後者の場合は、例えば、画素４上に光取り出し構造物６を設けた後に、インクジェット方式により画素間領域２１に可視光吸収部材５として黒色インクを塗布すればよい。
【００４２】
上記のようにして、画素間領域２１に可視光吸収部材５を設けることで、効果的に画素間のにじみを解消することができる。
【００４３】
また、一方で、ブラックレジストなどの可視光吸収部材５を使用することによって、外光反射を低減する効果も期待できる。
【００４４】
尚、本発明の表示装置を駆動するための回路、配線、及び用いるＴＦＴの配置や特性は特に規定するものではなく、必要な性能を得るために所望の設計を施し具備してよい。
【００４５】
また、本発明の表示装置では光取り出し構造物６は素子内部に閉じ込められる光を外に取り出すためのものであり、該光取り出し構造物６上を更にガラスキャップや板ガラスなどの封止ガラスで封止してもよい。該封止ガラス上には色度の改善のためカラーフィルタや、外光反射低減のために円偏光板を具備してもよい。
【実施例】
【００４６】
以下、本発明の具体的な実施例について説明する。実施例では光取り出し構造物には一例としてリング形状で断面構造が二等辺三角形のものを用いているが、本発明はこれに限定されるものではない。
【００４７】
（実施例１）
実施例１として、有機ＥＬ素子が図３の断面構造を持ち、表示領域が図２の断面構造を持ち、図１のように画素４、副画素１，２，３及び光取り出し構造物６がレイアウトされた構成の表示装置を、以下に示す方法で作製した。即ち、本例の表示装置は、複数の画素を有し、各画素が複数色（青色副画素１、緑色副画素２、赤色副画素３）の副画素からなり、副画素それぞれが有機ＥＬ素子を備えている。
【００４８】
本例では、先ず、ガラス基板上に、低温ポリシリコンからなるＴＦＴ駆動回路（不図示）を形成し、その上にアクリル樹脂からなる平坦化膜（不図示）を形成して支持基板８とした。次に、支持基板８上に、反射電極９として、スパッタリングによりＡｇ合金を約１５０ｎｍの膜厚で形成した。Ａｇ合金からなる反射電極９は、可視光の波長域（λ＝３８０ｎｍ乃至７８０ｎｍ）で分光反射率８０％以上の高反射膜である。更にスパッタリングにより透明電極１４としてＩＴＯ（Ｉｎｄｉｕｍ  Ｔｉｎ  Ｏｘｉｄｅ）を成膜した。この後、隔壁７としてポリイミド系樹脂をスピンコートしフォトリソグラフィによって所望の各副画素に開口部を設けた。各副画素の開口の直径は２７μｍで、全ての副画素は６０μｍの等間隔に配置されている。
【００４９】
この後、各有機化合物層１０，１１，赤色発光層を含む有機化合物層を順次、真空蒸着法により成膜して積層した。本表示装置では各副画素１，２，３において、各色の発光層から反射電極９までの光学膜厚が、各発光色波長の３／４に相当するように正孔輸送層１６の膜厚を変えた。青色は蛍光材料を、緑色及び赤色に関してはより高い内部量子効率が期待できる燐光材料を発光層の発光ドーパントとして用いた。各副画素の有機化合物層のうち最も屈折率の高い層の屈折率は、青色副画素が１．８６、緑色副画素が１．８０、赤色副画素が１．７８であった。
【００５０】
次に透明電極１２として、ＩＺＯ（Ｉｎｄｉｕｍ  Ｚｉｎｃ  Ｏｘｉｄｅ）をスパッタリングにより成膜した。その後ＣＶＤ法により窒化ケイ素（ＳｉＮ）膜を４μｍの厚さで成膜した。このＳｉＮ膜の屈折率は４５０ｎｍ（青色領域）で１．８９、５２０ｎｍ（緑色領域）で１．８８、６２０ｎｍ（赤色領域）で１．８６であった。よって、いずれの副画素においても有機化合物層よりも屈折率が高かった。
【００５１】
次にＳｉＮ膜上にヘキサメチルジシラザンをスピンコートして表面を改質した後、フォトレジストのＡＺ１５００をスピンコートし、厚さが約２．５μｍの膜厚を得た。次いでＡＺ３１２ＭＩＦ現像液によって現像を行いレジストパターンを得た。これを１２０℃で３分間のポストベークを行い、レジスト形状をリフローさせた。これを四フッ化炭素と酸素によるドライエッチによりレジストパターンごとＳｉＮをエッチングすることで各副画素を囲むようにリング状の光取り出し構造物にＳｉＮ膜を加工した。この時、有機化合物層１０，１１，赤発光層を含む有機化合物層よりも屈折率の高い高屈折率透明層１３の膜厚は１μｍであった。また、リング状光取り出し構造物６の高さは２．９μｍ、幅は１０μｍで断面形状は頂角は１２０°の三角形で、底角は内側３０°、外側３０°であった。
【００５２】
次に直接加工したＳｉＮ膜に対して可視光吸収部材５として感光性ブラックレジストをスピンコートし膜厚１μｍとした。次に、図１のように、それぞれの副画素を囲んで網目状につながるように設計したフォトマスクを用いて感光性ブラックレジストをパターニングした。露光にはマスクアライナーＭＰＡ−６００ＦＡを用いた。次いで、ＡＺ３１２ＭＩＦと水を１：２０で混合した現像液を用いて現像した後ホットプレートにより１００℃で３分加熱した。
【００５３】
副画素間領域２０（可視光吸収部材５）の幅は１３μｍであった。従って、画素間領域２１（可視光吸収部材５）中に、リング状光取り出し構造物６の底部幅よりも狭い部位はなかった。
【００５４】
以上のようにして作製した表示装置のにじみ程度を確認するために、青空を背景に人物の画像を表示し、皮膚などの白色系の部位の輪郭部の発光色を確認した。本実施例によって得られた表示像の人物の輪郭部にはにじみに由来する発光色の変化は見られなかった。
【００５５】
また、本実施例における光取り出し効率についてはリング状光取り出し構造物６が無かった場合の２倍程度、正面輝度は３倍程度に向上していた。発光強度は主に発光する正面方向に増加が見られた。
【００５６】
（比較例１）
副画素間領域２０に可視光吸収部材５を形成しないこと以外は実施例１と同じ構成の表示装置を実施例１と同様な製造プロセスで作製した。得られた表示装置のにじみ程度を実施例１と同様にして確認したところ、表示像の人物の輪郭部にはにじみに由来する発光色の変化が見られ、青紫色のにじみが輪郭部に視認された。一方で、光取り出し効率については２．３倍程度で正面輝度は３．１倍程度の向上であった。実施例１と同様であり、輝度は全視野角にわたって増加が見られた。
【００５７】
（実施例２）
画素４内の副画素間領域２０には可視光吸収部材５を設けない図５のような表示装置を実施例１と同様の方法で作製した。画素間領域２１（可視光吸収部材５）の幅は１３μｍであり、画素間領域２１（可視光吸収部材５）中に、光取り出し構造物６の底部幅よりも狭い部位はなかった。
【００５８】
得られた表示装置のにじみ程度を実施例１と同様にして確認したところ、表示像の人物の輪郭部にはにじみに由来する発光色の変化はみられなかった。
【００５９】
本実施例における光取り出し効率についてはリング状光取り出し構造物６が無かった場合の２．３倍程度、正面輝度は３．１倍程度に向上していた。輝度は正面方向に向かって増加が見られた。
【００６０】
（実施例３）
副画素ピッチを画素単位で近づけ、画素４を形成する各副画素のリング状光取り出し構造物６が接するようにし、画素間領域２１上にのみ可視光吸収部材５を設けた以外は実施例１と同じ構成の表示装置を実施例１と同様な製造方法で作製した。画素間領域２１（可視光吸収部材５）の幅は軸１、軸２、軸３方向において最小で２６．０μｍであり、画素間領域２１中に、リング状光取り出し構造物の底部幅よりも狭い部位はなかった。
【００６１】
得られた表示装置のにじみ程度を実施例１と同様にして確認したところ、表示像の人物の輪郭部にはにじみに由来する発光色の変化はみられなかった。
【００６２】
本実施例における光取り出し効率についてはリング状光取り出し構造物６が無かった場合の２倍程度、正面輝度は３倍程度に向上していた。輝度は正面方向に向かって増加が見られた。
【００６３】
（実施例４）
図７のように画素４を構成する長方形の各副画素の光取り出し構造物６が接するようにし、画素４と画素４の間上にのみ可視光吸収部材５を設けた以外は実施例１と同じ構成の表示装置を実施例１と同様な製造方法で作製した。画素間領域２１（可視光吸収部材５）の幅はＸ軸、Ｙ軸２方向でそれぞれ１３．０μｍであり、画素間領域２１（可視光吸収部材５）中に、図７における画素開口の外周部に設けた光取り出し構造物６の底部幅よりも狭い部位はなかった。
【００６４】
得られた表示装置のにじみ程度を実施例１と同様にして確認したところ、表示像の人物の輪郭部にはにじみに由来する発光色の変化はみられなかった。
【００６５】
本実施例における光取り出し効率についてはリング状光取り出し構造物６が無かった場合の２倍程度、正面輝度は３倍程度に向上していた。輝度は正面方向に向かって増加が見られた。
【符号の説明】
【００６６】
１，２，３：副画素、４：画素、５：可視光吸収部材、６：光取り出し構造物、９，１２：電極、１０，１１：有機化合物層、１３：高屈折率透明層、１７：発光層、２０：副画素間領域、２１：画素間領域、２２，２３：副画素
【図１】
2013073800.tif 000003
【図２】
2013073800.tif 000004
【図３】
2013073800.tif 000005
【図４】
2013073800.tif 000006
【図５】
2013073800.tif 000007
【図６】
2013073800.tif 000008
【図７】
2013073800.tif 000009